【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
複数のデバイスが接続されるインターフェースと、前記インターフェースを介して前記複数のデバイスと通信接続される制御部を有し、
前記インターフェースは、複数種類のインターフェース規格に対応し、異なるインターフェース規格の複数のデバイスが接続された場合に、前記制御部によって複数のインターフェースとして認識されるインターフェースであり、
前記認識される各インターフェースには、前記制御部によって同一グループに属するインターフェースとして認識される識別情報が各々設定され、
前記制御部は、前記認識される各インターフェースの識別情報に基づいて同一グループに属するか否かを判定し、同一グループと判定した各インターフェースに接続される複数の前記デバイスを連携して動作させることを特徴とするデバイス制御装置。
【請求項２】
前記同一グループに属するインターフェースには、共通の識別情報が設定されることを特徴とする請求項１に記載にデバイス制御装置。
【請求項３】
前記インターフェースは、複数のデバイスが物理的に接続される単一の物理インターフェースであり、異なるインターフェース規格の複数のデバイスが接続された場合に、論理構成上、複数のインターフェースとして認識されるインターフェースであることを特徴とする請求項１又は２に記載にデバイス制御装置。
【請求項４】
前記インターフェースは、前記制御部と前記複数のデバイスとの間に配置されるＵＳＢハブであることを特徴とする請求項１乃至３のいずれか一項に記載のデバイス制御装置。
【請求項５】
前記認識される各インターフェースには、インターフェース規格に従って定められる複数種類の設定情報が設定され、前記設定情報のいずれか１つが前記識別情報に割り当てられ、
前記制御部は、前記識別情報を取得できない場合、前記識別情報を除く前記設定情報が所定の条件を満たし、且つ、未登録のインターフェースが複数存在した場合、その複数のインターフェースを同一グループと判定し、同一グループと判定した各インターフェースに接続される複数の前記デバイスを連携して動作させることを特徴とする請求項１乃至４のいずれか一項に記載のデバイス制御装置。
【請求項６】
前記識別情報を除く前記設定情報は、ベンダーＩＤおよびプロダクトＩＤを含み、
前記制御部は、前記ベンダーＩＤおよび前記プロダクトＩＤに基づいて、前記複数のデバイスが接続される前記インターフェースの検索範囲を限定することを特徴とする請求項５に記載のデバイス制御装置。
【請求項７】
複数のデバイスが接続されるインターフェースを有する電子機器に、前記インターフェースを介して通信接続され、前記電子機器の前記複数のデバイスを制御するホスト装置において、
前記インターフェースに、異なるインターフェース規格の複数のデバイスが接続されている場合に、前記インターフェースを複数のインターフェースとして認識する制御部を有し、
前記制御部は、前記認識される各インターフェースに、当該制御部によって同一グループに属するインターフェースとして認識される識別情報が各々設定されている場合に、前記識別情報に基づいて同一グループと判定した各インターフェースに接続される複数の前記デバイスを連携して動作させることを特徴とするホスト装置。
【請求項８】
前記認識される各インターフェースには、インターフェース規格に従って定められる複数種類の設定情報が設定され、前記設定情報のいずれか１つが前記識別情報に割り当てられ、
前記制御部は、前記識別情報を取得できない場合、前記識別情報を除く前記設定情報が所定の条件を満たし、且つ、未登録のインターフェースが複数存在した場合、その複数のインターフェースを同一グループと判定し、同一グループと判定した各インターフェースに接続される複数の前記デバイスを連携して動作させることを特徴とする請求項７に記載のホスト装置。
【請求項９】
前記識別情報を除く前記設定情報は、ベンダーＩＤおよびプロダクトＩＤを含み、
前記制御部は、前記ベンダーＩＤおよび前記プロダクトＩＤに基づいて、前記複数のデバイスが接続される前記インターフェースの検索範囲を限定することを特徴とする請求項８に記載のホスト装置。
【請求項１０】
複数のデバイスが接続されるインターフェースを有する電子機器に、前記インターフェースを介して通信接続され、前記電子機器の前記複数のデバイスを制御するホスト装置の制御方法において、
前記インターフェースに、異なるインターフェース規格の複数のデバイスが接続されている場合に、前記インターフェースを複数のインターフェースとして認識するステップと、
前記認識される各インターフェースに、同一グループに属するインターフェースとして認識される識別情報が各々設定されている場合に、前記識別情報に基づいて同一グループと判定した各インターフェースに接続される複数の前記デバイスを連携して動作させるステップとを有することを特徴とするホスト装置の制御方法。
【請求項１１】
前記認識される各インターフェースには、インターフェース規格に従って定められる複数種類の設定情報が設定され、前記設定情報のいずれか１つが前記識別情報に割り当てられ、
前記認識するステップは、前記識別情報を取得できない場合、前記識別情報を除く前記設定情報が所定の条件を満たし、且つ、未登録のインターフェースが複数存在した場合、その複数のインターフェースを同一グループと判定し、同一グループと判定した各インターフェースに接続される複数の前記デバイスを連携して動作させることを特徴とする請求項１０に記載のホスト装置の制御方法。
【請求項１２】
前記識別情報を除く前記設定情報は、ベンダーＩＤおよびプロダクトＩＤを含み、
前記認識するステップは、前記ベンダーＩＤおよび前記プロダクトＩＤに基づいて、前記複数のデバイスが接続される前記インターフェースの検索範囲を限定することを特徴とする請求項１１に記載のホスト装置の制御方法。
【手続補正２】
【補正対象書類名】明細書
【補正対象項目名】００５１
【補正方法】変更
【補正の内容】
【００５１】
一方、識別子「iProduct」を取得できない場合（ステップＳ１１Ａ；ＮＯ）、制御部２３は、検索された未登録のパブリッシャー２のＵＳＢ２．０ハブ１１Ｘが１つか否かを判定し（ステップＳ１２Ａ）、検出数が１つ以外（複数）であれば（ステップＳ１２Ａ；ＮＯ）、エラー終了し、検出数が１つであれば（ステップＳ１２Ａ；ＹＥＳ）、検索されたＵＳＢ２．０ハブ１１Ｘのシンボリックリンク名を記憶装置２４に保持する（ステップＳ１３Ａ）。
ここで、シンボリックリンク名は、ホスト装置３のＯＳ（オペレーティングシステム）が特定する識別情報である。また、本実施形態では、以下に説明するように、記憶装置２４に、同じパブリッシャー２内のＵＳＢ２．０ハブ１１ＸおよびＵＳＢ３．０ハブ１１Ｙのシンボリックリンク名を対応づけて記述した接続情報を、記憶装置２４に記憶している。
【手続補正３】
【補正対象書類名】明細書
【補正対象項目名】００５４
【補正方法】変更
【補正の内容】
【００５４】
また、ステップＳ１４Ａの判定で、検索されたＵＳＢ２．０ハブ１１Ｘのシンボリックリンク名が接続情報に記載済みであった場合（ステップＳ１４Ａ；ＹＥＳ）、制御部２３は、接続情報を参照し、そのＵＳＢ２．０ハブ１１Ｘの対となるＵＳＢ３．０ハブ１１Ｙのシンボリックリンク名を特定し、そのシンボリックリンク名のＵＳＢ３．０ハブ１１Ｙが接続されているか否かを検索する（ステップＳ１７Ａ）。続いて、対となるＵＳＢ３．０ハブ１１Ｙを特定すると、制御部２３は、検索されたＵＳＢ２．０ハブ１１Ｘを登録済みにし（ステップＳ１８Ａ）、認識制御を終了する。
この認識制御が終了した後、入力部２１を介してユーザーによるメディアの発行指示が入力されると、制御部２３は、同じパブリッシャー２内に存在すると判定したＵＳＢ２．０ハブ１１ＸとＵＳＢ３．０ハブ１１Ｙに接続されるＵＳＢ２．０デバイスおよびＵＳＢ３．０デバイスを連携して動作させる。これによって、パブリッシャー２単位で、メディアへのデータ記録と印刷を適切に行うことが可能になる。
【手続補正４】
【補正対象書類名】明細書
【補正対象項目名】００５５
【補正方法】変更
【補正の内容】
【００５５】
以上説明したように、第２実施形態では、パブリッシャー２のＵＳＢ２．０ハブ１１Ｘの識別子「iProduct」を取得できない場合には、識別子「iProduct」以外の設定情報（ベンダーＩＤおよびプロダクトＩＤ）がパブリッシャー２のＵＳＢ２．０ハブ１１Ｘであることを示す条件を満たし、且つ、未登録のインターフェースであるＵＳＢ２．０ハブ１１ＸとＵＳＢ３．０ハブ１１Ｙとが存在した場合に、これらハブ１１Ｘ、１１Ｙを同じパブリッシャー２内のハブと判定し、これらハブ１１Ｘ、１１Ｙに接続される複数のＵＳＢデバイスを連携して動作させるので、識別子「iProduct」を取得できない場合でも、パブリッシャー２単位でＵＳＢデバイス群を制御することが可能になる。
また、ベンダーＩＤおよびプロダクトＩＤに基づいて、ＵＳＢ２．０ハブ１１ＸおよびＵＳＢ３．０ハブ１１Ｙの検索範囲を、パブリッシャー２のＵＳＢ２．０ハブ１１ＸおよびＵＳＢ３．０ハブ１１Ｙに限定するので、効率よくパブリッシャー２のハブ１１Ｘ、１１Ｙを検索することができる。
また、パブリッシャー２内のハブと判定したハブ１１Ｘ、１１Ｙを記述した接続情報を作成するので、この接続情報に記述されたハブ１１Ｘ、１１Ｙについては接続情報に基づき同じパブリッシャー２内となる組み合わせを容易に特定することができる。
これらにより、識別子「iProduct」を取得できない場合でも、パブリッシャー２単位でＵＳＢデバイス群を効率よく特定することが可能になる。
【手続補正５】
【補正対象書類名】図面
【補正対象項目名】図６
【補正方法】変更
【補正の内容】
【図６】
2014106784.tif 000001